(57)【要約】【課題】被検体の組織に関する情報を適切に取得するためのＯＣＴデータ処理装置およびＯＣＴデータ処理プログラムを提供する。【解決手段】ＰＣ４０の制御部４１は、測定光の光軸に交差する方向に広がる二次元の測定領域に測定光が照射されることで得られる三次元ＯＣＴデータを取得する。制御部４１は、三次元ＯＣＴデータが得られた二次元の測定領域に対し、ラインの配置、数、および形状の少なくともいずれかが互いに異なる複数種類のラインパターンのうちのいずれかを設定する。制御部４１は、三次元ＯＣＴデータから、設定されたラインパターンのラインに交差する断面における二次元断層画像を抽出する。【選択図】図１
2019150532.tif 000002
【特許請求の範囲】
【請求項１】
ＯＣＴ装置によって取得された被検眼の組織のＯＣＴデータを処理するＯＣＴデータ処理装置であって、
前記ＯＣＴ装置は、
ＯＣＴ光源と、
前記ＯＣＴ光源から出射された光を測定光と参照光に分岐する分岐光学素子と、
前記分岐光学素子によって分岐された前記測定光を前記組織に照射する照射光学系と、
前記組織によって反射された前記測定光と、前記分岐光学素子によって分岐された前記参照光を合波して干渉させる合波光学素子と、
前記合波光学素子によって生成された干渉光を受光することで干渉信号を検出する受光素子と、
を備え、
前記ＯＣＴデータ処理装置の制御部は、
前記測定光の光軸に交差する方向に広がる二次元の測定領域に前記測定光が照射されることで得られる三次元の前記ＯＣＴデータである三次元ＯＣＴデータを取得し、
前記三次元ＯＣＴデータが得られた前記二次元の測定領域に対し、ラインの配置、数、および形状の少なくともいずれかが互いに異なる複数種類のラインパターンのうちのいずれかを設定し、
前記三次元ＯＣＴデータから、設定されたラインパターンのラインに交差する断面における二次元断層画像を抽出することを特徴とするＯＣＴデータ処理装置。
【請求項２】
請求項１に記載のＯＣＴデータ処理装置であって、
前記ＯＣＴ装置は、
前記照射光学系によって前記組織に照射される前記測定光を、光軸に交差する二次元方向に走査させる走査部をさらに備え、
前記三次元ＯＣＴデータは、前記測定光のスポットが前記走査部によって前記二次元の測定領域内で走査されることで得られることを特徴とするＯＣＴデータ処理装置。
【請求項３】
請求項１または２に記載のＯＣＴデータ処理装置であって、
前記制御部は、
過去に前記ＯＣＴデータが得られた前記被検眼から新たに得られた前記ＯＣＴデータを処理する場合に、過去に得られた前記ＯＣＴデータを処理する際に設定されたラインパターンと同一のラインパターンを、前記測定領域に対して設定することを特徴とするＯＣＴデータ処理装置。
【請求項４】
請求項３に記載のＯＣＴデータ処理装置であって、
前記制御部は、
過去に前記ＯＣＴデータが得られた前記被検眼から新たに得られた前記ＯＣＴデータを処理する場合に、過去に得られた前記ＯＣＴデータを処理する際にラインパターンが設定された位置と同じ位置に、前記ラインパターンを設定することを特徴とするＯＣＴデータ処理装置。
【請求項５】
請求項１から４のいずれかに記載のＯＣＴデータ処理装置であって、
前記制御部は、
前記測定領域の二次元正面画像、および前記測定領域から得られた前記三次元ＯＣＴデータの少なくともいずれかに対して行われた解析処理の結果に基づいて、前記ラインパターンを設定する位置を決定することを特徴とするＯＣＴデータ処理装置。
【請求項６】
請求項１から５のいずれかに記載のＯＣＴデータ処理装置であって、
前記制御部は、
ユーザから入力された操作指示に応じてラインパターンを作成すると共に、作成したラインパターンの情報を、前記複数種類のラインパターンの１つとして記憶手段に記憶させることを特徴とするＯＣＴデータ処理装置。
【請求項７】
ＯＣＴ装置によって取得された被検眼の組織のＯＣＴデータを処理するＯＣＴデータ処理装置によって実行されるＯＣＴデータ処理プログラムであって、
前記ＯＣＴ装置は、
ＯＣＴ光源と、
前記ＯＣＴ光源から出射された光を測定光と参照光に分岐する分岐光学素子と、
前記分岐光学素子によって分岐された前記測定光を前記組織に照射する照射光学系と、
前記組織によって反射された前記測定光と、前記分岐光学素子によって分岐された前記参照光を合波して干渉させる合波光学素子と、
前記合波光学素子によって生成された干渉光を受光することで干渉信号を検出する受光素子と、
を備え、
前記ＯＣＴデータ処理プログラムが前記ＯＣＴデータ処理装置の制御部によって実行されることで、
前記測定光の光軸に交差する方向に広がる二次元の測定領域に前記測定光が照射されることで得られる三次元の前記ＯＣＴデータである三次元ＯＣＴデータを取得する取得ステップと、
前記三次元ＯＣＴデータが得られた前記二次元の測定領域に対し、ラインの配置、数、および形状の少なくともいずれかが互いに異なる複数種類のラインパターンのうちのいずれかを設定する設定ステップと、
前記三次元ＯＣＴデータから、設定されたラインパターンのラインに交差する断面における二次元断層画像を抽出する抽出ステップと、
を前記ＯＣＴデータ処理装置に実行させることを特徴とするＯＣＴデータ処理装置。
【発明の詳細な説明】
【技術分野】
【０００１】
本開示は、光コヒーレンストモグラフィ（ＯＣＴ）の原理に基づいて取得されたＯＣＴデータを処理するＯＣＴデータ処理装置、および、ＯＣＴデータ処理装置において実行されるＯＣＴデータ処理プログラムに関する。
【背景技術】
【０００２】
従来、測定光の反射光と参照光とによって被検体のＯＣＴデータ（例えば断層画像等）を取得するＯＣＴ装置が知られている。例えば、特許文献１に開示されているＯＣＴ装置は、測定光の走査位置（つまり、測定光のスキャンパターン）を変化させることで、黄斑ライン撮影、黄斑マップ撮影、乳頭マップ撮影等、種々の方法で眼底の断層画像を取得する。
【先行技術文献】
【特許文献】
【０００３】
【特許文献１】特開２０１６−１３２１０号公報
【発明の概要】
【発明が解決しようとする課題】
【０００４】
特許文献１に開示されているＯＣＴ装置では、複数のスキャンパターンのうち、実際にＯＣＴ装置に実行させるスキャンパターンが、被検眼の病状等に応じて予め設定される必要がある。また、ユーザ（例えば医師等）は、あるスキャンパターンによる撮影が終了した後に、他のスキャンパターンで撮影された結果を確認したい場合等には、ＯＣＴ装置によって再度撮影を実行する必要がある。従って、従来の装置では、被検体の組織に関する情報を適切に取得することは困難であった。
【０００５】
本開示は、被検体の組織に関する情報を適切に取得するためのＯＣＴデータ処理装置およびＯＣＴデータ処理プログラムを提供することである。
【課題を解決するための手段】
【０００６】
本開示における典型的な実施形態が提供するＯＣＴデータ処理装置は、ＯＣＴ装置によって取得された被検眼の組織のＯＣＴデータを処理するＯＣＴデータ処理装置であって、前記ＯＣＴ装置は、ＯＣＴ光源と、前記ＯＣＴ光源から出射された光を測定光と参照光に分岐する分岐光学素子と、前記分岐光学素子によって分岐された前記測定光を前記組織に照射する照射光学系と、前記組織によって反射された前記測定光と、前記分岐光学素子によって分岐された前記参照光を合波して干渉させる合波光学素子と、前記合波光学素子によって生成された干渉光を受光することで干渉信号を検出する受光素子と、を備え、前記ＯＣＴデータ処理装置の制御部は、前記測定光の光軸に交差する方向に広がる二次元の測定領域に前記測定光が照射されることで得られる三次元の前記ＯＣＴデータである三次元ＯＣＴデータを取得し、前記三次元ＯＣＴデータが得られた前記二次元の測定領域に対し、ラインの配置、数、および形状の少なくともいずれかが互いに異なる複数種類のラインパターンのうちのいずれかを設定し、前記三次元ＯＣＴデータから、設定されたラインパターンのラインに交差する断面における二次元断層画像を抽出する。
【０００７】
本開示における典型的な実施形態が提供するＯＣＴデータ処理プログラムは、ＯＣＴ装置によって取得された被検眼の組織のＯＣＴデータを処理するＯＣＴデータ処理装置によって実行されるＯＣＴデータ処理プログラムであって、前記ＯＣＴ装置は、ＯＣＴ光源と、前記ＯＣＴ光源から出射された光を測定光と参照光に分岐する分岐光学素子と、前記分岐光学素子によって分岐された前記測定光を前記組織に照射する照射光学系と、前記組織によって反射された前記測定光と、前記分岐光学素子によって分岐された前記参照光を合波して干渉させる合波光学素子と、前記合波光学素子によって生成された干渉光を受光することで干渉信号を検出する受光素子と、を備え、前記ＯＣＴデータ処理プログラムが前記ＯＣＴデータ処理装置の制御部によって実行されることで、前記測定光の光軸に交差する方向に広がる二次元の測定領域に前記測定光が照射されることで得られる三次元の前記ＯＣＴデータである三次元ＯＣＴデータを取得する取得ステップと、前記三次元ＯＣＴデータが得られた前記二次元の測定領域に対し、ラインの配置、数、および形状の少なくともいずれかが互いに異なる複数種類のラインパターンのうちのいずれかを設定する設定ステップと、前記三次元ＯＣＴデータから、設定されたラインパターンのラインに交差する断面における二次元断層画像を抽出する抽出ステップと、を前記ＯＣＴデータ処理装置に実行させる。
【０００８】
本開示に係るＯＣＴデータ処理装置およびＯＣＴデータ処理プログラムによると、被検体の組織に関する情報が適切に取得される。
【図面の簡単な説明】
【０００９】
【図１】ＯＣＴシステム１００の概略構成を示すブロック図である。
【図２】ＯＣＴデータ取得処理の一例を示すフローチャートである。
【図３】二次元正面画像５０の一例を示す図である。
【図４】ＯＣＴデータ処理の一例を示すフローチャートである。
【図５】ラインパターンをユーザが選択する場合にモニタ４７に表示される画像の一例を示す図である。
【発明を実施するための形態】
【００１０】
＜概要＞
本開示で例示するＯＣＴデータ処理装置は、ＯＣＴ装置によって取得された被検体の組織のＯＣＴデータを処理する。ＯＣＴ装置は、ＯＣＴ光源、分岐光学素子、照射光学系、合波光学素子、および受光素子を備える。ＯＣＴ光源は光（ＯＣＴ光）を出射する。分岐光学素子は、ＯＣＴ光源から出射された光を測定光と参照光に分岐する。照射光学系は、分岐光学素子によって分岐された測定光を組織に照射する。合波光学素子は、組織によって反射された測定光と、分岐光学素子によって分岐された参照光を合波して干渉させる。受光素子は、合波光学素子によって生成された干渉光を受光することで干渉信号を検出する。ＯＣＴデータ処理装置の制御部は、ＯＣＴ装置によって得られた三次元ＯＣＴデータを取得する。三次元ＯＣＴデータは、測定光の光軸に交差する方向に広がる二次元の測定領域に測定光が照射されることで得られる三次元のＯＣＴデータである。制御部は、三次元ＯＣＴデータが得られた二次元の測定領域に対し、ラインの配置、数、および形状の少なくともいずれかが互いに異なる複数種類のラインパターンのうちのいずれかを設定する。制御部は、三次元ＯＣＴデータから、設定されたラインパターンのラインに交差する断面における二次元断層画像を抽出する。
【００１１】
本開示に係るＯＣＴデータ処理装置によると、ＯＣＴ装置によって取得された三次元ＯＣＴデータから、複数のラインパターンのいずれかに応じて二次元断層画像が抽出される。従って、ＯＣＴ装置によって被検体のＯＣＴデータが取得される際に、複数の撮影方法の中から、ＯＣＴ装置に実行させる撮影方法が設定されなくてもよい。また、被検体の三次元ＯＣＴデータが取得された以後は、ＯＣＴ装置による撮影が再度実行されなくても、ユーザは、種々のラインパターンに応じた二次元断層画像の抽出結果を確認することができる。よって、本開示に係るＯＣＴデータ処理装置によると、被検体の組織に関する情報が適切に取得される。
【００１２】
なお、制御部は、抽出した二次元断層画像のデータに対してさらに処理を行ってもよい。例えば、制御部は、抽出した二次元断層画像を表示部に表示させてもよい。また、制御部は、抽出した二次元断層画像に対して解析処理（例えば、特定の層の厚みを解析する処理等）を行い、解析結果のデータを生成してもよい。制御部は、抽出した二次元断層画像のデータを記憶装置に記憶させてもよい。
【００１３】
二次元断層画像の解析処理を行う場合、制御部は、設定されたラインパターンに応じて解析方法を変更してもよい。例えば、制御部は、１本の直線状のラインからなるラインパターンが設定された場合には、ライン上における特定の層の厚みを示すグラフのデータを生成してもよい。また、制御部は、円形のラインからなるラインパターンが設定された場合には、円形のライン上の全体における特定の層の厚みの平均値を算出してもよいし、円形のラインを複数に分割した場合（例えば、中心よりも上方と下方の２つに分割した場合、または、耳側、上側、鼻側、下側の４つに分割した場合等）の、各々の部分における特定の層の厚みの平均値を算出してもよい。
【００１４】
なお、種々のデバイスがＯＣＴデータ処理装置として機能することができる。例えば、ＯＣＴ装置自身が、本開示におけるＯＣＴデータ処理装置として機能してもよい。また、ＯＣＴ装置との間でデータをやり取りすることが可能なデバイス（例えばパーソナルコンピュータ等）が、ＯＣＴデータ処理装置として機能してもよい。複数の制御部が協働して処理を行ってもよい。
【００１５】
ＯＣＴ装置は走査部を備えていてもよい。走査部は、照射光学系によって組織に照射される測定光を、光軸に交差する二次元方向に走査させる。三次元ＯＣＴデータは、測定光のスポットが走査部によって測定領域内で二次元方向に走査されることで得られてもよい。この場合、三次元ＯＣＴデータがＯＣＴ装置によって適切に得られる。
【００１６】
ただし、ＯＣＴ装置の構成を変更することも可能である。例えば、ＯＣＴ装置の照射光学系は、被検体の組織上の二次元の領域に測定光を同時に照射してもよい。この場合、受光素子は、組織上の二次元の領域における干渉信号を検出する二次元受光素子であってもよい。つまり、ＯＣＴ装置は、所謂フルフィールドＯＣＴ（ＦＦ−ＯＣＴ）の原理によってＯＣＴデータを取得してもよい。また、ＯＣＴ装置は、組織において一次元方向に延びる照射ライン上に測定光を同時に照射すると共に、照射ラインに交差する方向に測定光を走査させてもよい。この場合、受光素子は、一次元受光素子（例えばラインセンサ）または二次元受光素子であってもよい。つまり、ＯＣＴ装置は、所謂ラインフィールドＯＣＴ（ＬＦ−ＯＣＴ）の原理によってＯＣＴデータを取得してもよい。
【００１７】
制御部は、過去にＯＣＴデータが得られた被検眼から新たに得られたＯＣＴデータを処理する場合に、過去に得られたＯＣＴデータを処理する際に設定されたラインパターンと同一のラインパターンを、二次元の測定領域に対して設定してもよい。この場合、過去と同じパターンで二次元断層画像が抽出される。従って、例えば被検眼の経過観察等が、より適切に行われる。
【００１８】
制御部は、過去にＯＣＴデータが得られた被検眼から新たに得られたＯＣＴデータを処理する場合に、過去に得られたＯＣＴデータを処理する際にラインパターンが設定された位置と同じ位置に、ラインパターンを設定してもよい。この場合、過去と同じ部位における二次元断層画像が抽出される。従って、例えば被検眼の経過観察等が、より適切に行われる。
【００１９】
ただし、ラインパターンの種類および位置の設定方法を変更することも可能である。例えば、ラインパターンの種類および位置の少なくともいずれかは、ユーザからの操作指示等に応じて、ＯＣＴデータが処理される毎に設定されてもよい。
【００２０】
制御部は、測定領域の二次元正面画像、および測定領域から得られた三次元ＯＣＴデータの少なくともいずれかに対して行われた解析処理の結果に基づいて、ラインパターンを設定する位置を決定してもよい。この場合、解析処理の結果に基づいて、ラインパターンを設定する位置が自動的に決定される。よって、より適切にＯＣＴデータが処理される。
【００２１】
なお、解析処理の対象となる二次元正面画像には、種々の画像を採用し得る。例えば、二次元正面画像は、ＯＣＴの原理とは異なる原理によって撮影された画像（例えば、走査型レーザ検眼鏡によって撮影された正面画像、眼底カメラによって撮影された正面画像、または赤外カメラによって撮影された正面画像等）であってもよい。また、二次元正面画像は、三次元ＯＣＴデータから取得される正面画像（例えば、深さ方向に関して積算された積算画像、ある一定の深さ方向におけるＸＹ各位置での正面画像、または、組織の表層の正面画像等）であってもよい。二次元正面画像と三次元ＯＣＴデータは、異なるデバイスによって得られていてもよい。
【００２２】
また、解析処理の結果に基づいてラインパターンの設定位置を決定するための具体的な方法も、適宜選択できる。例えば、制御部は、解析処理の一種である画像処理を二次元正面画像に対して行うことで、測定領域に存在する特徴部位を抽出してもよい。例えば、測定領域が被検眼の眼底である場合には、特徴部位は、視神経乳頭、黄斑、血管、および病変部位等の少なくともいずれかであってもよい。制御部は、抽出した特徴部位と、設定するラインパターンの位置関係に基づいて、測定領域に対してラインパターンを設定してもよい。また、制御部は、複数の二次元正面画像同士の位置関係を画像処理によってマッチングさせることで、ラインパターンの位置を決定してもよい。また、制御部は、三次元ＯＣＴ画像に対して解析処理を行い、凹凸部位、または、周囲と色が異なる部位等を特徴部位として抽出してもよい。また、制御部は、他の情報（例えば、各種医療情報等）に基づいて、ラインパターンの設定位置を自動的に決定してもよい。
【００２３】
また、解析処理の結果を用いずにラインパターンの設定位置を決定してもよい。例えば、制御部は、二次元正面画像を表示部に表示させた状態で、ユーザからの操作指示（例えば、タッチパネルまたはマウス等を用いた操作指示）を入力し、操作指示によって指定された位置にラインパターンを設定してもよい。
【００２４】
制御部は、ユーザから入力された操作指示に応じてラインパターンを作成してもよい。制御部は、作成したラインパターンの情報を、複数種類のラインパターンの１つとして記憶手段に記憶してもよい。この場合、ユーザは、自らが望む適切なラインパターンを、複数種類のラインパターンの１つとして作成することができる。従って、より適切に三次元ＯＣＴデータが処理される。
【００２５】
なお、ＯＣＴ装置の制御部は、組織のＯＣＴデータの取得を開始するトリガ信号が生成される毎に、三次元ＯＣＴデータを自動的に取得してもよい。この場合、ユーザは、測定光のスキャンパターンを指定しなくても、三次元ＯＣＴデータを処理することで得られる種々の二次元断層画像の抽出結果を適切に確認することができる。トリガ信号を生成する方法は適宜選択できる。例えば、ＯＣＴデータの取得（つまり撮影）を開始させるためのユーザからの操作指示を受け付けることを契機として、トリガ信号が生成されてもよい。また、撮影準備（例えば、被検眼に対するＯＣＴ装置のアライメント、光路長の調整、およびフォーカスの調整等）が完了することを契機として、トリガ信号が自動的に生成されてもよい。
【００２６】
このＯＣＴ装置は、以下のように表現することも可能である。参照光と、被検眼の組織に照射された測定光の反射光とによる干渉光を処理することで、前記組織のＯＣＴデータを取得するＯＣＴ装置であって、ＯＣＴ光源と、前記ＯＣＴ光源から出射された光を測定光と参照光に分岐する分岐光学素子と、前記分岐光学素子によって分岐された前記測定光を前記組織に照射する照射光学系と、前記照射光学系によって前記組織に照射される前記測定光を、前記測定光の光軸に交差する二次元方向に走査させる走査部と、前記組織によって反射された前記測定光と前記分岐光学素子によって分岐された前記参照光を合波させて干渉させる合波光学素子と、前記合波光学素子によって生成された干渉光を受光することで干渉信号を検出する受光素子と、前記ＯＣＴ装置の制御を司る制御部と、を備え、前記制御部は、ＯＣＴデータの取得を開始するトリガ信号が生成される毎に、前記測定光の光軸に交差する方向に広がる二次元の測定領域内で前記測定光を走査させて三次元のＯＣＴデータを取得することを特徴とするＯＣＴ装置。
【００２７】
制御部は、測定光を走査させるパターン（スキャンパターン）の選択指示の受付処理を省略した状態で、トリガ信号が生成される毎に三次元ＯＣＴデータを取得してもよい。また、制御部は、三次元ＯＣＴデータを取得した後に、複数種類のラインパターンのうちのいずれかを設定し、設定したラインパターンに応じて二次元断層画像を抽出してもよい。その結果、ユーザがスキャンパターンを指定しなくても、二次元断層画像が適切に得られる。
【００２８】
また、ユーザからの選択指示に応じてスキャンパターンを決定するモードと、トリガ信号が生成される毎に自動的に三次元ＯＣＴデータを取得する自動モードを含む複数のモードが設けられていてもよい。制御部は、自動モードが選択されている場合に、トリガ信号の生成に応じて自動的に三次元ＯＣＴデータを取得してもよい。
【００２９】
＜実施形態＞
以下、本開示に係る典型的な実施形態の１つについて説明する。一例として、本実施形態のＯＣＴシステム１００は、被検眼Ｅの眼底を被検体とし、眼底組織のＯＣＴデータを取得して処理することができる。ただし、被検眼Ｅにおける眼底以外の組織（例えば、被検眼Ｅの前眼部等）、または、被検眼Ｅ以外の被検体（例えば、皮膚、消化器、脳等）のＯＣＴデータを処理する場合でも、本開示で例示する技術の少なくとも一部を適用できる。また、ＯＣＴデータとは、光コヒーレンストモグラフィ（ＯＣＴ）の原理に基づいて取得されるデータである。
【００３０】
図１を参照して、本実施形態のＯＣＴシステム１００の概略構成について説明する。本実施形態のＯＣＴシステム１００は、ＯＣＴ装置１とパーソナルコンピュータ（以下、「ＰＣ」という）４０を備える。ＯＣＴ装置１は、被検眼ＥのＯＣＴデータを取得する。ＰＣ４０は、ＯＣＴ装置１によって取得されたＯＣＴデータの処理（例えば、三次元ＯＣＴデータから二次元断層画像を抽出する処理等）を実行する。
【００３１】
ＯＣＴ装置１は、ＯＣＴ部１０と制御ユニット３０を備える。ＯＣＴ部１０は、ＯＣＴ光源１１、カップラー（光分割器）１２、測定光学系１３、参照光学系２０、受光素子２２、および正面観察光学系２３を備える。
【００３２】
ＯＣＴ光源１１は、ＯＣＴデータを取得するための光（ＯＣＴ光）を出射する。カップラー１２は、ＯＣＴ光源１１から出射されたＯＣＴ光を、測定光と参照光に分割する。また、本実施形態のカップラー１２は、被検体（本実施形態では患者眼Ｅの眼底）によって反射された測定光と、参照光学系２０によって生成された参照光を合波して干渉させる。つまり、本実施形態のカップラー１２は、ＯＣＴ光を測定光と参照光に分岐する分岐光学素子と、測定光の反射光と参照光を合波する合波光学素子を兼ねる。なお、分岐光学素子および合波光学素子の少なくともいずれかの構成を変更することも可能である。例えば、カップラー以外の素子（例えば、サーキュレータ、ビームスプリッタ等）が使用されてもよい。
【００３３】
測定光学系１３は、カップラー１２によって分割された測定光を被検体に導くと共に、被検体によって反射された測定光をカップラー１２に戻す。測定光学系１３は、走査部１４、照射光学系１６、およびフォーカス調整部１７を備える。走査部１４は、駆動部１５によって駆動されることで、測定光の光軸に交差する二次元方向に測定光を走査（偏向）させることができる。本実施形態では、互いに異なる方向に測定光を偏向させることが可能な２つのガルバノミラーが、走査部１４として用いられている。しかし、光を偏向させる別のデバイス（例えば、ポリゴンミラー、レゾナントスキャナ、音響光学素子等の少なくともいずれか）が走査部１４として用いられてもよい。照射光学系１６は、走査部１４よりも光路の下流側（つまり被検体側）に設けられており、測定光を被検体の組織に照射する。フォーカス調整部１７は、照射光学系１６が備える光学部材（例えばレンズ）を測定光の光軸に沿う方向に移動させることで、測定光のフォーカスを調整する。
【００３４】
参照光学系２０は、参照光を生成してカップラー１２に戻す。本実施形態の参照光学系２０は、カップラー１２によって分割された参照光を反射光学系（例えば、参照ミラー）によって反射させることで、参照光を生成する。しかし、参照光学系２０の構成も変更できる。例えば、参照光学系２０は、カップラー１２から入射した光を反射させずに透過させて、カップラー１２に戻してもよい。参照光学系２０は、測定光と参照光の光路長差を変更する光路長差調整部２１を備える。本実施形態では、参照ミラーが光軸方向に移動されることで、光路長差が変更される。なお、光路長差を変更するための構成は、測定光学系１３の光路中に設けられていてもよい。
【００３５】
受光素子２２は、カップラー１２によって生成された測定光と参照光の干渉光を受光することで、干渉信号を検出する。本実施形態では、フーリエドメインＯＣＴの原理が採用されている。フーリエドメインＯＣＴでは、干渉光のスペクトル強度（スペクトル干渉信号）が受光素子２２によって検出され、スペクトル強度データに対するフーリエ変換によって複素ＯＣＴ信号が取得される。フーリエドメインＯＣＴの一例として、Ｓｐｅｃｔｒａｌ−ｄｏｍａｉｎ−ＯＣＴ（ＳＤ−ＯＣＴ）、Ｓｗｅｐｔ−ｓｏｕｒｃｅ−ＯＣＴ（ＳＳ−ＯＣＴ）等を採用できる。また、例えば、Ｔｉｍｅ−ｄｏｍａｉｎ−ＯＣＴ（ＴＤ−ＯＣＴ）等を採用することも可能である。
【００３６】
本実施形態では、ＳＤ−ＯＣＴが採用されている。ＳＤ−ＯＣＴの場合、例えば、ＯＣＴ光源１１として低コヒーレント光源（広帯域光源）が用いられると共に、干渉光の光路における受光素子２２の近傍には、干渉光を各周波数成分（各波長成分）に分光する分光光学系（スペクトロメータ）が設けられる。ＳＳ−ＯＣＴの場合、例えば、ＯＣＴ光源１１として、出射波長を時間的に高速で変化させる波長走査型光源（波長可変光源）が用いられる。この場合、ＯＣＴ光源１１は、光源、ファイバーリング共振器、および波長選択フィルタを備えていてもよい。波長選択フィルタには、例えば、回折格子とポリゴンミラーを組み合わせたフィルタ、および、ファブリー・ペローエタロンを用いたフィルタ等がある。
【００３７】
また、本実施形態では、測定光のスポットが、走査部１４によって二次元の測定領域内で走査されることで、三次元ＯＣＴデータが取得される。しかし、三次元ＯＣＴデータを取得する原理を変更することも可能である。例えば、ラインフィールドＯＣＴ（以下、「ＬＦ−ＯＣＴ」という）の原理によって三次元ＯＣＴデータが取得されてもよい。ＬＦ−ＯＣＴでは、組織において一次元方向に延びる照射ライン上に測定光が同時に照射され、測定光の反射光と参照光の干渉光が、一次元受光素子（例えばラインセンサ）または二次元受光素子によって受光される。二次元の測定領域内において、照射ラインに交差する方向に測定光が走査されることで、三次元ＯＣＴデータが取得される。また、フルフィールドＯＣＴ（以下、「ＦＦ−ＯＣＴ」という）の原理によって三次元ＯＣＴデータが取得されてもよい。ＦＦ−ＯＣＴでは、組織上の二次元の測定領域に測定光が照射されると共に、測定光の反射光と参照光の干渉光が、二次元受光素子によって受光される。この場合、ＯＣＴ装置１は、走査部１４を備えていなくてもよい。
【００３８】
正面観察光学系２３は、被検体の組織（本実施形態では患者眼Ｅの眼底）の二次元正面画像を取得するために設けられている。本実施形態における二次元正面画像とは、ＯＣＴの測定光の光軸に沿う方向（正面方向）から組織を見た場合の二次元の画像である。正面観察光学系２３の構成には、例えば、走査型レーザ検眼鏡（ＳＬＯ）、眼底カメラ、および、二次元の撮影範囲に赤外光を一括照射して正面画像を撮影する赤外カメラ等の少なくともいずれかの構成を採用できる。
【００３９】
また、ＯＣＴ装置１は、組織の三次元ＯＣＴデータを取得し、測定光の光軸に沿う方向（正面方向）から組織を見た場合の画像（所謂「Ｅｎｆａｃｅ画像」）を、二次元正面画像として取得してもよい。Ｅｎｆａｃｅ画像のデータは、例えば、ＸＹ方向の各位置で深さ方向（Ｚ方向）に輝度値が積算された積算画像データ、ＸＹ方向の各位置でのスペクトルデータの積算値、ある一定の深さ方向におけるＸＹ方向の各位置での輝度データ、網膜のいずれかの層（例えば、網膜表層）におけるＸＹ方向の各位置での輝度データ等であってもよい。Ｅｎｆａｃｅ画像が取得される場合、正面観察光学系２３は省略されてもよい。
【００４０】
制御ユニット３０は、ＯＣＴ装置１の各種制御を司る。制御ユニット３０は、ＣＰＵ３１、ＲＡＭ３２、ＲＯＭ３３、および不揮発性メモリ（ＮＶＭ）３４を備える。ＣＰＵ３１は各種制御を行うコントローラである。ＲＡＭ３２は各種情報を一時的に記憶する。ＲＯＭ３３には、ＣＰＵ３１が実行するプログラム、および各種初期値等が記憶されている。ＮＶＭ３４は、電源の供給が遮断されても記憶内容を保持できる非一過性の記憶媒体である。後述するＯＣＴデータ取得処理（図２参照）を実行するためのＯＣＴデータ取得プログラムは、ＮＶＭ３４に記憶されていてもよい。
【００４１】
制御ユニット３０には、マイク３６、モニタ３７、および操作部３８が接続されている。マイク３６は音を入力する。モニタ３７は、各種画像を表示する表示部の一例である。操作部３８は、ユーザが各種操作指示をＯＣＴ装置１に入力するために、ユーザによって操作される。操作部３８には、例えば、マウス、キーボード、タッチパネル、フットスイッチ等の種々のデバイスを用いることができる。なお、マイク３６に音が入力されることで各種操作指示がＯＣＴ装置１に入力されてもよい。この場合、ＣＰＵ３１は、入力された音に対して音声認識処理を行うことで、操作指示の種類を判別してもよい。
【００４２】
本実施形態では、ＯＣＴ部１０および制御ユニット３０が１つの筐体に内蔵された一体型のＯＣＴ装置１を例示する。しかし、ＯＣＴ装置１は、筐体が異なる複数の装置を備えていてもよいことは言うまでもない。例えば、ＯＣＴ装置１は、ＯＣＴ部１０を内蔵する光学装置と、光学装置に有線または無線で接続されるＰＣとを備えていてもよい。この場合、光学装置が備える制御部とＰＣの制御部が、共にＯＣＴ装置１の制御ユニット３０として機能してもよい。
【００４３】
ＰＣ４０の概略構成について説明する。ＰＣ４０は、ＣＰＵ４１、ＲＡＭ４２、ＲＯＭ４３、およびＮＶＭ４４を備える。後述するＯＣＴデータ処理（図４参照）を実行するためのＯＣＴデータ処理プログラムは、ＮＶＭ４４に記憶されていてもよい。また、ＰＣ４０には、マイク４６、モニタ４７、および操作部４８が接続されている。マイク４６は音を入力する。モニタ４７は、各種画像を表示する表示部の一例である。操作部４８は、ユーザが各種操作指示をＰＣ４０に入力するために、ユーザによって操作される。操作部４８には、ＯＣＴ装置１の操作部３８と同様に、マウス、キーボード、タッチパネル等の種々のデバイスを用いることができる。また、マイク４６に音が入力されることで、各種操作指示がＰＣ４０に入力されてもよい。
【００４４】
ＰＣ４０は、ＯＣＴ装置１から各種データ（例えば、ＯＣＴ装置１によって得られた三次元ＯＣＴデータ等）を取得することができる。各種データは、例えば、有線通信、無線通信、および着脱可能な記憶装置（例えばＵＳＢメモリ）等の少なくともいずれかによって取得されればよい。
【００４５】
＜ＯＣＴデータ取得処理＞
図２および図３を参照して、ＯＣＴ装置１が実行するＯＣＴデータ取得処理について説明する。ＯＣＴ装置１のＣＰＵ３１は、ＮＶＭ３４に記憶されたＯＣＴデータ取得プログラムに従って、図２に示すＯＣＴデータ取得処理を実行する。
【００４６】
なお、本実施形態のＯＣＴ装置１では、ＯＣＴデータの取得を開始するトリガ信号が生成される毎に三次元ＯＣＴデータを自動的に取得する自動モードと、測定光を走査させるパターン（スキャンパターン）をユーザが選択するモードが設けられている。図２に例示する処理は、自動モードが選択されている場合に実行される。図２に例示する処理によると、ユーザは、スキャンパターンを選択しなくても、適切な三次元ＯＣＴデータの処理結果を得ることができる。
【００４７】
まず、ＣＰＵ３１は、ＯＣＴデータを取得する対象となる組織（本実施形態では被検眼Ｅの眼底）の二次元正面画像の撮影を開始し、撮影した画像をモニタ３７に表示させる（Ｓ１）。図３は、モニタ３７に表示された二次元正面画像５０の一例を示す。図３に示す例では、二次元正面画像５０内に、被検眼Ｅの視神経乳頭（以下、「乳頭」という場合もある）５１、黄斑５２、および眼底血管５３が写り込んでいる。なお、二次元正面画像５０は、繰り返し断続的に撮影されて、動画としてモニタ３７に表示される。
【００４８】
次いで、ＣＰＵ３１は、二次元正面画像５０上に測定領域５５を表示させる（Ｓ２）。測定領域５５とは、組織のうちＯＣＴデータを取得する対象となる領域である。測定領域５５は、測定光の光軸に交差する方向に広がる二次元の領域である。ＯＣＴデータの取得動作（つまり、撮影動作）が開始されると、測定光は、測定領域５５内に照射される。
【００４９】
図３に示す例では、二次元正面画像５０上に、測定領域５５の枠部が電子的に表示されている。しかし、測定領域５５の表示方法は適宜変更できる。例えば、測定領域５５の枠部を示す光が、組織に直接照射されてもよい。この場合、ユーザは、二次元正面画像５０に移りこんだ光の位置を確認することで、測定領域５５を把握することができる。また、図３に示す例では、測定領域５５は矩形である。しかし、測定領域５５の形状が矩形以外の形状（例えば円形状等）であってもよいことは言うまでもない。
【００５０】
ユーザは、二次元正面画像５０を確認しながら、被検体に対するＯＣＴ装置１のアライメントを実行し、組織に対して測定領域５５が適切な位置となるように調整する。本実施形態では、乳頭５１および黄斑５２を共に測定領域５５に含めるために、測定領域５５の中心が乳頭５１と黄斑５２の間に位置するように調整されている。この場合、後述するＯＣＴデータ処理（図４参照）において、乳頭５１および黄斑５２の両方の二次元断層画像を抽出することが可能である。なお、被検体に対するＯＣＴ装置１のアライメントは自動的に行われてもよい。
【００５１】
次いで、ＣＰＵ３１は、Ｏｐｔｉｍｉｚｅを実行させる指示が入力されたか否かを判断する（Ｓ４）。Ｏｐｔｉｍｉｚｅとは、光路長差調整部２１（図１参照）による光路長差の調整、および、フォーカス調整部１７によるフォーカスの最適化を行う機能である。Ｏｐｔｉｍｉｚｅの実行指示が入力されると（Ｓ４：ＹＥＳ）、ＣＰＵ３１はＯｐｔｉｍｉｚｅ動作を実行し（Ｓ５）、処理はＳ７へ移行する。Ｏｐｔｉｍｉｚｅの実行指示が入力されていなければ（Ｓ４：ＮＯ）、処理はそのままＳ７へ移行する。
【００５２】
次いで、ＣＰＵ３１は、ＯＣＴデータの取得を開始するトリガ信号が生成（本実施形態では入力）されたか否かを判断する（Ｓ７）。一例として、本実施形態では、アライメントおよびＯｐｔｉｍｉｚｅ動作が完了した状態で、ＯＣＴデータの取得開始を指示するためのＲｅｌｅａｓｅボタン（図示せず）をユーザが操作することで、トリガ信号が生成されてＣＰＵ３１に入力される。ただし、トリガ信号の生成方法を変更してもよい。例えば、特定の音声がマイク３６に入力されることで、トリガ信号が生成されてもよい。また、ＣＰＵ３１は、撮影準備（例えば、アライメントおよびＯｐｔｉｍｉｚｅ動作）が完了した時点で、トリガ信号を自動的に生成し、ＯＣＴデータの取得を自動的に開始してもよい。トリガ信号が生成されていなければ（Ｓ７：ＮＯ）、処理はＳ４に戻る。
【００５３】
トリガ信号が生成されると（Ｓ７：ＹＥＳ）、ＣＰＵ３１は、組織の測定領域５５から三次元ＯＣＴデータを取得するための処理を実行する（Ｓ８）。本実施形態のＣＰＵ３１は、走査部１４を制御し、測定光のスポットを二次元の測定領域５５内で走査させることで、測定領域５５の三次元ＯＣＴデータを取得する。一例として、本実施形態では、図３に示すように、スポットを走査させる直線状の走査ライン（スキャンライン）５８を、測定領域５５内に等間隔で複数設定し、それぞれの走査ライン５８上に測定光のスポットを走査させることで、測定領域５５の三次元ＯＣＴデータを取得する。
【００５４】
以上のように、本実施形態では、ＯＣＴデータの取得を開始するトリガ信号が生成される毎に、測定領域５５の三次元ＯＣＴデータが毎回自動的に取得される。従って、ユーザは、撮影方法を指定しなくても、三次元ＯＣＴデータを処理することで得られる種々の二次元断層画像の抽出結果を適切に確認することができる。
【００５５】
＜ＯＣＴデータ処理＞
図４および図５を参照して、ＯＣＴデータ処理について説明する。ＯＣＴデータでは、ＯＣＴデータ取得処理（図２参照）で得られた三次元ＯＣＴデータが処理されることで、適切な二次元断層画像が抽出される。なお、本実施形態では、ＰＣ４０がＯＣＴ装置１から三次元ＯＣＴデータを取得し、二次元断層画像を抽出する。つまり、本実施形態では、ＰＣ４０がＯＣＴデータ処理装置として機能する。しかし、他のデバイスがＯＣＴデータ処理装置として機能してもよい。例えば、ＯＣＴ装置１自身がＯＣＴデータ処理を行ってもよい。また、複数の制御部（例えば、ＯＣＴ装置１のＣＰＵ３１と、ＰＣ４０のＣＰＵ４１）が協働してＯＣＴデータ処理を行ってもよい。本実施形態では、ＰＣ４０のＣＰＵ４１は、ＮＶＭ４４に記憶されたＯＣＴデータ処理プログラムに従って、図４に示すＯＣＴデータ処理を実行する。
【００５６】
まず、ＣＰＵ４１は、ラインパターンを新たに登録するための操作指示が入力されたか否かを判断する（Ｓ１１）。複数種類のラインパターンの一例は、図５に示す任意選択画面のラインパターン選択欄７０に示されている。それぞれのラインパターンには、１つまたは複数のラインが含まれている。ラインパターンに含まれるラインは、三次元ＯＣＴデータから二次元断層画像を抽出する位置を示す。つまり、測定領域５５に対してラインパターンが設定されると、設定されたラインパターンのラインに交差（本実施形態では、二次元の測定領域５５に対して垂直方向に交差）する断面の二次元断層画像が抽出される。
【００５７】
ラインパターンを新たに登録するための操作指示が入力されると（Ｓ１１：ＹＥＳ）、ＣＰＵ４１は、ユーザから入力された操作指示に応じて新たにラインパターンを作成する。ＣＰＵ４１は、作成したラインパターンの情報を、複数種類のラインパターンの１つとして記憶手段（本実施形態ではＮＶＭ４４）に記憶させる（Ｓ１２）。なお、ＣＰＵ４１は、種々のラインパターンを新たに作成することができる。例えば、ＣＰＵ４１は、図５のラインパターン選択欄７０に示されたラインパターンを複数組み合わせたラインパターンを、新たなラインパターンとして作成してもよい。
【００５８】
次いで、ＣＰＵ４１は、三次元ＯＣＴデータの処理を開始させる指示が入力されたか否かを判断する（Ｓ１４）。入力されていなければ（Ｓ１４：ＮＯ）、処理はＳ１１へ戻る。開始指示が入力されると（Ｓ１４：ＹＥＳ）、ＣＰＵ４１は、ＯＣＴ装置１によって目的とする被検体から得られた三次元ＯＣＴデータを取得する（Ｓ１５）。三次元ＯＣＴデータは、有線通信、無線通信、ネットワーク、および着脱可能な記憶手段等の少なくともいずれかを介して取得されればよい。
【００５９】
なお、三次元ＯＣＴデータは、被検体の組織における三次元のデータを含んでいればよい。例えば、ＯＣＴ装置１は、被検体の組織の同一位置に関して時間的に異なる複数のＯＣＴデータを処理することで、組織における動きを示すモーションコントラストデータを生成することも可能である。生成されたモーションコントラストデータ自体には、組織における三次元のデータが含まれていない場合もあり得る。しかし、モーションコントラストデータを生成するために取得されたＯＣＴデータには、深さ方向の情報も含まれている。従って、二次元の測定領域５５のモーションコントラストデータを生成するために取得された三次元ＯＣＴデータが、モーションコントラストデータとは別で、またはモーションコントラストデータと共に、ＣＰＵ４１によって取得されてもよい。
【００６０】
次いで、ラインパターンを設定して二次元断層画像を抽出する処理（Ｓ１７〜Ｓ２６）が実行される。本実施形態では、ユーザは、ラインパターンを自ら任意に選択して設定する処理と、同一の被検体に対する経過観察を適切に実行するための処理のいずれかを、操作指示を入力することで指定することができる。
【００６１】
任意選択が指定されている場合には（Ｓ１７：ＹＥＳ）、ＣＰＵ４１は、測定領域５５に対し、ユーザによって選択されたラインパターンを選択された位置に設定する（Ｓ２０）。ＣＰＵ４１は、設定したラインパターンのラインに交差する断面における二次元断層画像を、三次元ＯＣＴデータから抽出する（Ｓ２５）。ＣＰＵ４１は、抽出した二次元断層画像をモニタ４７に表示させる。
【００６２】
図５を参照して、ユーザが任意にラインパターンを選択する場合の処理の一例について説明する。本実施形態では、任意選択が指定されると、図５に例示する任意選択画面がモニタ４７に表示される。任意選択画面では、処理結果表示欄６１、ラインパターン選択欄７０、位置指定欄８０、角度指定欄８５、および大きさ指定欄９０が形成される。
【００６３】
ラインパターン選択欄７０には、ラインの配置、数、および形状の少なくともいずれかが互いに異なる複数種類のラインパターンが表示される。ユーザは、複数種類のラインパターンのうちの１つまたは複数を任意に選択することができる。図５に示す例では、２つのラインが垂直に交差する「クロス」のボタンを指定する操作指示が入力されることで、「クロス」のラインパターンが選択されている。
【００６４】
位置指定欄８０では、選択されたラインパターンを設定する測定領域５５上の位置が指定される。一例として、本実施形態の位置指定欄８０には、「黄斑中心」「乳頭中心」「異常部位中心」および「手動設定」のボタンが設けられている。「黄斑中心」が指定されると、選択されたラインパターンの中心が黄斑に一致するように、ラインパターンの位置が設定される。「乳頭中心」が指定されると、選択されたラインパターンの中心が乳頭に一致するように、ラインパターンの位置が設定される。「異常部位中心」が指定されると、選択されたラインパターンの中心が組織における異常部位に一致するように、ラインパターンの位置が設定される。「手動設定」が指定されると、測定領域５５上においてユーザの操作指示によって指定された位置に、選択されたラインパターンが設定される。なお、「手動設定」においてユーザが位置を指定する方法は、適宜選択できる。例えば、ユーザは、マウスを操作してカーソルを所望の位置に移動させた状態でクリック操作を行うことで、ラインパターンの中心位置を指定してもよい。
【００６５】
また、本実施形態では、ＣＰＵ４１は、測定領域５５の二次元正面画像および三次元ＯＣＴデータの少なくともいずれかに対して解析処理を行い、解析処理の結果に基づいて、ラインパターンを設定する位置を決定することができる。一例として、本実施形態では、ＣＰＵ４１は、測定領域５５の二次元正面画像に対して画像処理を行うことで、乳頭５１の位置、および黄斑５２の位置を検出する。また、測定領域５５内に異常部位が存在する場合には、ＣＰＵ４１は、画像処理によって、異常部位の位置を検出することができる。「黄斑中心」「乳頭中心」「異常部位中心」のいずれかが指定されている場合、ＣＰＵ４１は、画像処理によって検出した位置に、選択されたラインパターンの中心を合致させる。ただし、画像処理を用いずにラインパターンの位置を決定することも可能である。例えば、ＣＰＵ４１は、測定領域５５から得られた三次元ＯＣＴデータを解析し、特徴部位（例えば、黄斑、乳頭、異常部位の少なくともいずれか）を抽出し、抽出結果に基づいてラインパターンの位置を決定してもよい。また、ＣＰＵ４１は、ユーザに操作部４８を操作させることで、特徴部位の位置を測定領域５５上で指定させてもよい。
【００６６】
角度指定欄８５では、選択されたラインパターンを測定領域５５上に設定する際の角度が指定される。一例として、本実施形態の角度指定欄８５には、「右回転」および「左回転」のボタンが設けられている。ボタンが操作されると、操作されたボタンに応じて、選択されたラインパターンが測定領域５５上で回転される。また、大きさ指定欄９０では、選択されたラインパターンの測定領域５５上での大きさが指定される。本実施形態の大きさ指定欄９０には、「拡大」および「縮小」のボタンが設けられている。ボタンが操作されると、操作されたボタンに応じて、選択されたラインパターンの測定領域５５上での大きさが変更される。
【００６７】
処理結果表示欄６１には、ラインパターンが設定された測定領域５５の二次元正面画像と、設定されたラインパターンに応じて抽出された二次元断層画像が表示される。図５に示す例では、ラインパターンとして「クロス」が選択されており、且つ、ラインパターンの位置として「黄斑中心」が選択されている。従って、ＣＰＵ４１は、測定領域５５の二次元正面画像上において、「クロス」のラインパターンに含まれる水平方向のライン７１Ａと垂直方向のライン７１Ｂを、中心が黄斑に一致するように表示させている。また、ＣＰＵ４１は、ライン７１Ａに交差する断面における二次元断層画像７３Ａと、ライン７１Ｂに交差する断面における二次元断層画像７３Ｂを、三次元ＯＣＴデータから抽出し、処理結果表示欄６１に表示させている。
【００６８】
なお、任意選択が指定されている場合のラインパターンの設定方法を変更することも可能である。例えば、ラインパターンの種類と位置を同時に選択できてもよい。この場合、一例として、「黄斑疾患診断」ボタンが操作されると、ＣＰＵ４１は、「クロス」と「マップ」のラインパターンを選択すると共に、選択したラインパターンの中心が黄斑に一致するように、ラインパターンの位置を設定してもよい。また、「乳頭疾患診断」ボタンが操作されると、ＣＰＵ４１は、「サークル」と「マップ」のラインパターンを選択すると共に、選択したラインパターンの中心が乳頭に一致するように、ラインパターンの位置を設定してもよい。また、設定するラインパターンを、ユーザ毎に予め登録できてもよい。この場合、ユーザは、ラインパターンを選択するための操作を毎回実行する必要が無い。
【００６９】
また、ＣＰＵ４１は、ユーザが確認したい解析結果に応じてラインパターンを設定してもよい。例えば、１本の直線のライン上における特定の層の厚みを示すグラフが、ユーザが所望する解析結果として選択された場合には、ＣＰＵ４１は、図５の「ライン」をラインパターンに含めてもよい。また、円形のライン上の各々の部分における厚みの平均値のグラフが、ユーザが所望する解析結果として選択された場合には、ＣＰＵ４１は、「サークル」をラインパターンに含めてもよい。
【００７０】
また、経過観察の処理が指定されている場合には（Ｓ１８：ＹＥＳ）、ＣＰＵ４１は、過去に得られたＯＣＴデータを処理する際に設定されたラインパターンと同一のラインパターンを、測定領域５５に対して今回設定するラインパターンとして選択する（Ｓ２３）。ＣＰＵ４１は、過去に得られたＯＣＴデータを処理する際にラインパターンが設定された位置と同じ位置に、ラインパターンを設定する（Ｓ２４）。ＣＰＵ４１は、設定したラインパターンのラインに交差する断面における二次元断層画像を、三次元ＯＣＴデータから抽出する（Ｓ２５）。ＣＰＵ４１は、抽出した二次元断層画像をモニタ４７に表示させる。
【００７１】
なお、Ｓ２４における「位置」には、ラインパターンの角度および大きさも含まれていてもよい。過去に設定されたラインパターンの種類および位置の情報は、種々の方法で取得することが可能である。例えば、同一の被検体の組織から過去に三次元ＯＣＴデータが取得されて処理されていれば、ＣＰＵ４１は、処理結果のデータを取得し、取得したデータに含まれる情報を用いてもよい。
【００７２】
また、経過観察の処理が指定されている場合に、過去に得られたＯＣＴデータが、本実施形態のＯＣＴ装置１によって取得される三次元ＯＣＴデータとは異なる場合もあり得る。例えば、過去に得られたＯＣＴデータが、従来のＯＣＴ装置によって特定のスキャンパターンで得られた二次元のＯＣＴデータである場合もあり得る。この場合、ＣＰＵ４１は、従来のＯＣＴデータが得られた際に実行された測定光のスキャンパターンと同一のラインパターンを、今回設定するラインパターンとして決定する。また、ＣＰＵ４１は、測定領域５５のうち、従来のＯＣＴデータが得られた際に測定光が走査された位置に、ラインパターンを設定する。その結果、過去に得られたＯＣＴデータと、今回得られるＯＣＴデータが異なる場合でも、経過観察が適切に行われる。
【００７３】
また、Ｓ２４の処理では、測定領域５５の二次元正面画像に対して画像処理を行い、画像処理の結果に基づいてラインパターンの位置が決定される。詳細には、ＣＰＵ４１は、過去にラインパターンが設定された際の測定領域５５の二次元正面画像と、今回取得された二次元正面画像の位置を、画像処理によってマッチングさせる。ＣＰＵ４１は、２つの二次元正面画像をマッチングさせた結果を用いて、過去に設定された位置と同一の位置にラインパターンを設定する。ただし、ラインパターンの位置を決定するための具体的な方法も、適宜変更できる。例えば、ＣＰＵ４１は、前述したＳ２０の処理と同様に、画像処理によって組織の特徴部位の位置を検出し、検出した位置に基づいてラインパターンの位置を決定してもよい。
【００７４】
また、Ｓ２５の処理では、ＣＰＵ４１は、抽出する二次元断層画像におけるＸＹ方向（測定光に交差する方向）の解像度に応じて、抽出する二次元断層画像のデータを調整してもよい。例えば、三次元ＯＣＴデータから単に二次元断層画像を抽出する際に、抽出される二次元断層画像のＸＹ方向の解像度が不足する場合には、ＣＰＵ４１は、画素値を補完して解像度を上げる調整処理を行ってもよい。この場合、例えば画像処理技術、人工知能（ＡＩ）技術等が用いられることで、不足している画素値が補完されてもよい。画素値を補完する位置の周辺に位置する複数の画素の画素値に基づいて、補完する画素値が算出されてもよい。なお、以上の処理は、設定されたラインパターンのラインが、三次元ＯＣＴデータのポイント（画素）の隙間を通過する場合にも適用できる。また、１つまたは複数の三次元ＯＣＴデータから複数の二次元断層画像を単に抽出する際に、抽出される複数の二次元断層画像のＸＹ方向の解像度に差が生じる場合には、ＣＰＵ４１は、解像度が高い方の二次元断層画像の画素値を、低い方の解像度に合わせて間引く調整処理を行ってもよい。この場合、複数の二次元断層画像の解像度の差が小さくなるので、より適切に診断等が行われる。また、ＣＰＵ４１は、抽出した二次元断層画像に対して画像処理を行うことで、画像のがたつきを滑らかにしてもよい。この場合にも、人工知能技術（例えばディープラーニング等）が用いられてもよい。
【００７５】
なお、図４のＳ１５で三次元ＯＣＴデータを取得する処理は、「取得ステップ」の一例である。図４のＳ２０，Ｓ２３，Ｓ２４でラインパターンを設定する処理は、「設定ステップ」の一例である。図４のＳ２５で二次元断層画像を抽出する処理は、「抽出ステップ」の一例である。
【符号の説明】
【００７６】
１    ＯＣＴ装置
１１    ＯＣＴ光源
１２    カップラー
１４    走査部
１６    照射光学系
２０    参照光学系
２２    受光素子
２３    正面観察光学系
３１    ＣＰＵ
４０    ＰＣ
４１    ＣＰＵ
１００    ＯＣＴシステム
【図１】
2019150532.tif 000003
【図２】
2019150532.tif 000004
【図３】
2019150532.tif 000005
【図４】
2019150532.tif 000006
【図５】
2019150532.tif 000007